(57)【要約】【課題】本発明はセンチネルリンパ節のＲＩ検出法において、高価な検出装置を用いることなくその実施を可能とするもので、放射性医薬品を使用している医療施設のほとんどに常備されている安価で普及性の高い放射線検出器に放射線遮蔽体を具備した放射線検出装置を提供する。【解決手段】センチネルリンパ節診断の際に、投与部位からの放射線の影響を防止し、且つセンチネルリンパ節からの放射線検出感度を保ちながら特異性も兼ね備えた筒形放射線遮蔽部と、さらにはセンチネルリンパ節の正確な位置を特定することのできる、より特異性を高めた略筒形連結部とを備えたセンチネルリンパ節用放射線検出装置。【選択図】図１
2006208010.tif 000002
【特許請求の範囲】
【請求項１】
放射線を検出するための検出部を有する放射線検出器と、前記放射線検出器とケーブルで連結され、放射線量を計数率として表示するための測定部とで構成された放射線測定器、
および前記放射線検出器の側面に入射する放射線を遮断するための、一端に略円錐中空形部を有する筒形放射線遮蔽部と、前記略円錐中空形部に連結し放射線の検出特異性を調節するための略筒形連結部とで構成された放射線遮蔽体、
とを備えることを特徴とする放射線検出装置
【請求項２】
センチネルリンパ節診断に用いることを特徴とする請求項１に記載の放射線検出装置
【発明の詳細な説明】
【技術分野】
【０００１】
本発明は特異性の高い放射線遮蔽体を具備した放射線検出装置に関する。
【背景技術】
【０００２】
近年の医学では、悪性腫瘍の転移診断に腫瘍特異的に集積する放射性物質を体内に投与し、その集積を測定することが行われている。
【０００３】
例えば乳癌、食道癌および大腸癌等に於いて、腫瘍細胞の転移を最初に受けるリンパ節に腫瘍細胞が確認できなければそれより下流域のリンパ節廓清を行わないという治療法が進められている。その治療法により患者の精神的および身体的負担を軽減し、予後の回復を向上させることができる。こうした背景から放射性医薬品を用いたいわゆるセンチネルリンパ節診断が重視されつつある。
【０００４】
このセンチネルリンパ節の検出法（ＲＩ検出法）は、腫瘍部位近傍および／または乳輪周辺に放射性医薬品を投与してその流れを追跡し、リンパ系に移行した放射性医薬品が最初に集積するリンパ節（センチネルリンパ節）を検出するものである。
【０００５】
ところが、センチネルリンパ節に集積する放射能量は、投与部位に集積する放射能量の約１／１００程度と小さいため、投与部位とセンチネルリンパ節との位置が比較的隣接した場合、投与部位に残存する不要な放射線に影響されるので、センチネルリンパ節の検出が困難になることがある。
【０００６】
そのため小型で特異性および感度の高いプローブと呼ばれている専用の検出器を用いた検出装置（例えば特許文献１参照）が用いられているが、専用の放射線検出装置は非常に高価なため、この有用な検出法が医療現場に広く普及し難い状況にあった。そこでセンチネルリンパ節のＲＩ検出には、安価で普及性のある検出装置が医療関係者より望まれていた。
【特許文献１】特表２００２−５２８７２９
【発明の開示】
【発明が解決しようとする課題】
【０００７】
本発明はセンチネルリンパ節のＲＩ検出法において、高価な検出装置を用いることなくその実施を可能とするもので、放射性医薬品を使用している医療施設のほとんどに常備されている安価で普及性の高い放射線検出器に放射線遮蔽体を具備した放射線検出装置を提供する。
【課題を解決するための手段】
【０００８】
本発明は、放射線を検出するための検出部を有する放射線検出器と、前記放射線検出器とケーブルで連結され、放射線量を計数率として表示するための測定部とで構成された放射線測定器、および前記放射線検出器の側面に入射する放射線を遮断するための、一端に略円錐中空形部を有する筒形放射線遮蔽部と、前記略円錐中空形部に連結し、放射線の検出特異性を調節するための略筒形連結部とで構成された放射線遮蔽体、とを備えることを特徴とする放射線検出装置を用いて前記課題を解決したものである。
【０００９】
より詳細には、センチネルリンパ節診断の際に、投与部位からの放射線の影響を防止し、且つセンチネルリンパ節からの放射線検出感度を保ちながら特異性も兼ね備えた筒形放射線遮蔽部と、さらにはセンチネルリンパ節の正確な位置を特定することのできる、より特異性を高めた略筒形連結部とを備えたセンチネルリンパ節用放射線検出装置に関する。
【発明の効果】
【００１０】
本発明の放射線検出装置を用いることにより、一部の医療施設にしか置かれていない高価な放射線検出装置を使用しなくてもセンチネルリンパ節診断を広く普及させることができる。それにより、多くの症例において生体組織を過度に切除しない治療法が選択可能となり、患者の身体的および精神的負担を軽減することができる。
【００１１】
また、投与部位側に補助遮蔽を用いなくてもセンチネルリンパ節の検出が可能と成り、術前術中に煩雑な操作を行わずに診断ができる。
【００１２】
尚、筒形放射線遮蔽部を用いただけでセンチネルリンパ節の検出が可能だが、投与部位近傍にセンチネルリンパ節が有る場合、略円錐中空形部に略筒形連結部を更に接続することにより、投与部位からの放射線の影響を低減しつつ特異性を高め、センチネルリンパ節の検出を容易にすることができる。
【発明を実施するための最良の形態】
【００１３】
以下実施の形態を示す図面と共に本発明を説明する。
図１は本発明放射線検出装置の一部である放射線検出器３と放射線遮蔽体１３の縦断面説明図である。
【００１４】
放射線検出器３は、放射線を検出する検出部１とその発光をカウントして電気信号に変換する出力部２とから成っている。また、放射線遮蔽体１３は、筒形放射線遮蔽部１１と略筒形連結部１２とから構成され、更に筒形放射線遮蔽部１１は、略円錐中空形部１０を有している。
【００１５】
検出部１は、放射線の入射により発光するシンチレータであり、検出された発光は出力部２により電気信号に変換される。検出部１および出力部２の形状は特に問わない。
【００１６】
筒形放射線遮蔽部１１は、検出部に入射する放射線を遮断するもので、放射線検出器３を挿入する為の開口端を有する略筒形形状であり、その反対側には略円錐中空形部１０を有している。尚、特異性の違う略円錐中空形部１０を予め用意し、センチネルリンパ節の放射能量に応じて略円錐中空形部１０が適宜交換できる構造に成っていればなお良い。
筒形放射線遮蔽部１１の長手方向の長さは特に問わないが、投与部位からの強い放射線を避けるために放射線検出器３を傾けてセンチネルリンパ節を検出する際、投与部位から検出部に入射する放射線を遮断できる長さであれば良い。また、横または後ろ方向から検出部に入射する放射線量は少ないので、筒形放射線遮蔽部１１の遮蔽厚は開口端側に向かって段階的に薄くすることもできる。
【００１７】
筒形放射線遮蔽部１１に連結する略円錐中空形部１０は、投与部位に残存した多量の放射線を遮断するもので、円錐中空形状を有している。また、その先端はセンチネルリンパ節を特異的に且つ感度良く測定するために、細径孔を有している。その細径孔の形状は、円形、楕円形、三角形、四角形等その如何を問わないが、放射線が均一に入射する円形が望ましい。また、センチネルリンパ節の平均的な直径が５〜１０ｍｍなので、前記細径孔の直径は、５ｍｍ以上が望ましい。
【００１８】
前記略円錐中空形部１０の先端には、さらに特異性を高めるための着脱自在な略筒形連結部１２を取り付けることができ、その形状は、筒形形状を有している。
【００１９】
尚、筒形放射線遮蔽部１１および略筒形連結部１２は図２ａ、ｂおよびｃの本発明略円錐中空形部の他の形態を示す説明図にあるように一体に成っていても良く、略筒形連結部１２の形状は、図２ａに示すような先端よりも基端の直径が大きい先細りとなっている略筒形状、図２ｂに示すような直径が均一な筒形状および図２ｃに示すような逆ラッパ形状でも良い。また、前記筒形放射線遮蔽部１１および略筒形連結部１２の遮蔽厚は、特に限定しないが、特異性、感度および操作性を勘案すると５ｍｍ以下が適当である。また、筒形放射線遮蔽部１１および略筒形連結部１２の材質は、一般にγ線の遮蔽に利用されている遮蔽金属ならばその如何を問わないが、遮蔽効果、加工性および費用等を考慮すると鉛が適している。また、筒形放射線遮蔽部１１の外面には衛生面を保つため、ステンレス製のカバーで覆うことが好ましいが、更に衛生面を担保するには、放射線遮蔽体１３と放射線検出器３の全体をビニール等で覆うことが望ましい。
【００２０】
図３は本発明放射線検出装置を示す説明図であり、図１で示した放射線検出器３と放射線遮蔽体１３に加え、放射線検出器３からの電気信号を伝達するケーブル５とその電気信号を放射線量の計数率として表示する測定部４とを備えている。
【実施例】
【００２１】
次に、実施例を用いてさらに説明するが、本発明は実施例により何ら制約されるものではない。
【００２２】
［筒形放射線遮蔽部の作製］
外径５４ｍｍ、内径４４ｍｍおよび長さ１１０ｍｍである筒形形状の一端に、底面外径５４ｍｍ、底面内径４４ｍｍ、先端に内径１０ｍｍの孔を有した高さ２８ｍｍの略円錐形状の底周面を連結した筒形放射線遮蔽部を鉛鋳造により作製した。また、外装カバーとして厚さ１ｍｍのステンレスを加工形成し、筒形放射線遮蔽部に装着した。
【００２３】
［略筒形連結部の作製］
外径１０ｍｍ、内径７ｍｍ、長さ１２ｍｍの筒形形状で、一端に外径１２ｍｍ、幅２ｍｍの鍔を有した略筒形連結部を鉛切削加工により作製した。
【００２４】
［放射線検出装置の性能試験］
センチネルリンパ節診断で、投与部位とセンチネルリンパ節とに集積する実際の放射能量の線源を放射性物質である９９ｍＴｃで作製した。投与部位の放射能量は３７ＭＢｑ（投与部位線源）、センチネルリンパ節の放射能量は投与部位放射能量の約１／１００、即ち３７０ＫＢｑ（センチネルリンパ節線源）に調整し、各線源をアクリル製バイアルに封入した。
次に投与部位線源とセンチネルリンパ節線源との距離を５ｃｍに固定した測定用ユニットを作製し、以下の試験に使用した。
尚、試験には前記で作製した筒形放射線遮蔽部および略筒形連結部と放射線測定器（アロカ製／ＴＣＳ−１６１）で構成された本発明放射線検出装置を使用した。
【００２５】
初めに本発明放射線検出装置を机上に固定して設置した。次に、略筒形連結部正面より前方に何も置かない状態でバックグラウンドの放射能量を測定した。
次に図４の本発明放射線検出装置の性能試験説明図に示すように、略筒形連結部１２の正面より前方２ｃｍ離れた位置に測定用ユニット２２を配置した。
次にセンチネルリンパ節線源２１の外側１ｃｍに当るＡ位置より放射能量の測定を行い、矢印方向に測定用ユニットを１ｃｍづつ順次移動させ、ＢからＨの位置で放射能量の測定を行った。測定結果を図５に示す。
【００２６】
図５より、センチネルリンパ節線源（測定位置Ｂ）の測定値がバックグラウンドに対して２倍以上あり、十分な感度が認められた。更にセンチネルリンパ節線源と投与部位線源（測定位置Ｇ）との間に明確な測定値の低下（測定位置Ｄ：センチネルリンパ節線源の測定値と比較して約６７％減）が確認でき、特異性が認められた。これらの結果より、センチネルリンパ節線源の検出が可能であることが分かる。
【図面の簡単な説明】
【００２７】
【図１】本発明放射線検出装置の一部の放射線検出器と放射線遮蔽体の縦断面説明図
【図２】本発明略円錐中空形部の他の形態を示す説明図
【図３】本発明放射線検出装置を示す説明図
【図４】本発明放射線検出装置の性能試験説明図
【図５】本発明放射線検出装置の測定結果を示す説明図
【符号の説明】
【００２８】
１：検出部
２：出力部
３：放射線検出器（１＋２）
４：測定部
５：ケーブル
１０：略円錐中空形部
１１：筒形放射線遮蔽部
１２：略筒形連結部
１３：放射線遮蔽体（１１＋１２）
２０：投与部位線源
２１：センチネルリンパ節線源
２２：測定用ユニット
【図１】
2006208010.tif 000003
【図２】
2006208010.tif 000004
【図３】
2006208010.tif 000005
【図４】
2006208010.tif 000006
【図５】
2006208010.tif 000007